(57)【特許請求の範囲】
【請求項１】
乳房カップ部の外側から背部に位置する部分に配置される、伸度の小さな又は非伸縮性の素材を裏打ちしてなる土台布と、伸縮性の素材からなるバックを備えるブラジャーであって、前記土台布と前記バックとの間で、着用者の体側に接触する部分に伸縮脇部が設けられており、前記伸縮脇部は、前記バックを形成する素材よりも伸度が大きく、前記伸縮脇部は、上辺が短く、下辺が長い台形状に形成されていることを特徴とするブラジャー。
【請求項２】
請求項１のブラジャーであって、前記伸縮脇部は、前記バックを形成する素材よりも、２０〜８０％程度伸度が大きいことを特徴とするブラジャー。
【請求項３】
請求項１又は請求項２のブラジャーであって、前記土台布、前記伸縮脇部及び前記バックの上下縁部を覆うテープであって、前記伸縮脇部よりも伸度が小さい素材からなるテープを設けていることを特徴とするブラジャー。
【発明の詳細な説明】
【０００１】
【発明の属する技術分野】
本発明は、ブラジャーに関する。特に、着用者の体側に接触する土台布とバックとの間の部分に、伸縮脇部を設けた新規なブラジャーに関する。
【０００２】
【従来の技術】
通常のブラジャーは、乳房を保持するために、伸度の小さな素材又は非伸縮性素材を裏打ちしてなる土台布と伸縮性の素材からなるバックとが直接、縫い合わされている。しかし、このような通常のブラジャーでは、着用者が日常の運動、特に身体を捻るときに、土台布が伸びないために、着用者の体側部が締め付けられ、着用者に窮屈感を与え、装着感を損なうという問題があった。
【０００３】
一方、スポーツ時に着用することを目的としたいわゆるスポーツ用ブラジャーにおいては、激しい運動に追従するため、ブラジャー全体を伸縮性の素材で形成することも行われている。しかし、全体を伸縮性の素材にすると、土台布の乳房を身体前中央に寄せる機能が損なわれ、乳房を良好に保持できないという問題がある。
【０００４】
【発明が解決しようとする課題】
そこで、本発明は、乳房の良好な保持性（以下、乳房保持機能という）と着用者の運動に追従し得る伸縮性（以下、運動追従機能という）とを併せ持つ新規なブラジャーを提供することを目的とする。
【０００５】
【課題を解決するための手段】
上記目的を達成するため、本発明は、土台布とバックとの間で、着用者の体側に接触する部分に伸縮脇部を設けたブラジャーを提供する。すなわち、伸度の低い素材又は非伸縮性素材を裏打ちしてなる土台布と伸縮性の素材からなるバックとの間で、着用者の運動に最もよく追従する部分である体側部に伸縮脇部を設けることで、乳房保持機能と運動追従機能とを向上させるものである。ここで、運動時とは激しい運動ばかりでなく、腕の上げ下げ、身体の捻り等日常の運動すべてを含む意味である。
【０００６】
また、上記伸縮脇部は、上辺が短く、下辺が長い台形状に形成されていることが好ましい。下辺を長くすることで、運動時に、筋肉がより大きく動く脇下部（特に、第５肋骨〜第６肋骨部位）に接触する部分をより大きく伸縮させることができ、着用者の窮屈感を減少させることができる。一方、上辺を短くすることで、伸縮脇部の伸度を低く抑えることができ、土台布の乳房保持機能を損なうことがない。上辺の長さと下辺の長さとの比率は、５：５〜２：８の範囲にあることが好ましく、より好ましくは３：７である。上辺の長さと下辺の長さとの比率が上記範囲外であると、すなわち、上辺が長すぎると、乳房を中央に寄せる力が不足して乳房保持機能が損なわれ、下辺が短すぎると、運動追従機能が発揮できないので好ましくない。
【０００７】
さらに、上記伸縮脇部は、バックを形成する素材よりも、２０〜８０％程度、伸度が大きいことが好ましい。
さらに、上記土台布、上記伸縮脇部及び上記バックの各上下縁部を覆うテープを設けることが好ましい。このテープは、上記伸縮脇部よりも伸度が小さい素材から形成されていることが好ましく、好ましくは５０〜７０％程度小さい伸度を有し、上記伸縮脇部の上下縁部が必要以上に伸びることを抑える。
【０００８】
【好ましい実施形態】
以下、添付図面を参照しながら、本発明をさらに詳細に説明するが、本発明はこれらに限定されるものではない。
【０００９】
図１は、本発明のブラジャーを着用した場合の斜視図である。図２は、図１のブラジャーの伸縮脇部の拡大図である。
図１に、本発明のブラジャー１を着用した状態を示す。ブラジャー１は、土台布２及びバック３の間であって、着用者の体側部に接触する部分に、伸縮脇部１０を設け、土台布２、伸縮脇部１０及びバック３の上下縁部を覆うテープ４を設けてなる。伸縮脇部１０は、図２に示すように、上辺１１が短く、下辺１２が長い台形状に形成されている。ここで、上辺１１は１．５ｃｍ、下辺１２は３．５cmとしたが、これに限定されるものではなく、上述の上辺の長さと下辺の長さとの比率の範囲内であれば、ブラジャーの寸法に応じて適宜変えることができる。
【００１０】
土台布２は、乳房保持機能を発揮するため、通常のブラジャーに用いられている伸度の小さい素材又は非伸縮性素材を裏打ちしてなる。上記素材としては、マーキゼット、ハーフトリコットなどを用いることができる。バック３は、通常のブラジャーに用いられている素材、例えば、一方向又は二方向に伸縮可能なパワーネット、サテンネット、トリコットなどを用いることができる。テープ４は、通常のブラジャーに用いられている素材を用いることができる。伸縮脇部１０は、土台布２、バック３及びテープ４よりも伸度の大きい素材、例えば、パワーネット、チュールネットなど、ポリウレタンを含む素材から形成されているが、これらに限定されるものではなく、バック３を形成する素材よりも２０〜８０％程度、伸度が大きい素材であればよい。
【００１１】
本発明のブラジャーを製作するには、通常の製作方法に従い、一対のバック３と、乳房カップ部に取り付けられた土台布２と、テープ４と、所定縫い代寸法を考慮した形状に切断された伸縮脇部１０用素材を準備する。左右の伸縮脇部の取り付けは同じ工程であるから、一方についてのみ説明する。まず、伸縮脇部１０用素材の一端部をバック３の一端部に縫いつける。この工程は、伸縮脇部１０用素材の一端部を縫い代寸法が６ｍｍになるように折り畳んでバック３の一端部に重ね、バック３と伸縮脇部１０用素材とを重ねた部分のブラジャーの裏側にトリコットテープ１３を重ねて、ブラジャーの表側となる方向から縫いつけることでなされる。次に、伸縮脇部１０用素材の他端部を土台布２に縫いつける。この工程は、伸び止め用のマーキゼットが裏打ちされている土台布２の端部を縫い代寸法が８ｍｍとなるように折り畳んで伸縮脇部１０用素材の他端部にブラジャーの表側となる方向から重ね、伸縮脇部１０用素材の他端部のブラジャーの裏側となる部分にはボーン挿入用の円筒状テープ１３’を重ねて、この円筒状テープ１３’にボーンを挿入しながら、ブラジャーの表側となる方向から一緒に縫いつけることでなされる。
【００１２】
【発明の効果】
本発明のブラジャーにおいては、伸度の小さい素材又は非伸縮性素材を裏打ちしてなる土台布と伸縮性の素材からなるバックとの間で、特に運動追従性が求められる着用者の体側部に、土台布又はバックよりも伸度の大きい伸縮脇部を設けたので、良好な乳房保持機能と良好な運動追従機能とが提供される。本発明のブラジャーにより、乳房保持機能を損なわずに、従来のブラジャーの問題点であった着用者の体側部の締め付けが解消される。
【図面の簡単な説明】
【図１】図１は、本発明のブラジャーを着用した状態を示す斜視図である。
【図２】図２は、図１のブラジャーの伸縮脇部の拡大図である。
【符号の説明】
１：ブラジャー
２：土台布
３：バック
４：テープ
１０：伸縮脇部
１１：上辺
１２：下辺
【図１】
0004331296.tif 000002
【図２】
0004331296.tif 000003